(57)【要約】【課題】画像データを記憶するメモリの電源装置における低消費電力化を実現する。【解決手段】ＲＡＭ電源供給部１は、ＬＣＤ１６に表示する画像を表す画像データを記憶するメモリに電源を供給する。レベルシフト部２およびスイッチング部３によって入力電圧を所定の電圧に変換し、安定化させて出力する。アンプ部７は、スイッチング部３からの電圧における負荷変動とリップルノイズとのうち、少なくともいずれかを抑制する。そして、出力制御部９は、電流検知部２１によってＬＣＤ１６が省電力モードで動作していることが検知された場合、アンプ部７を介さずに、スイッチング部３からの電圧をＲＡＭ１５に出力し、電流検知部２１によってＬＣＤ１６が通常の電力モードで動作していることが検知された場合、アンプ部７を介して、スイッチング部３からの電圧をＲＡＭ１５に出力する。【選択図】図１
2010113512.tif 000002
【特許請求の範囲】
【請求項１】
表示装置に表示する画像を表す画像データを記憶するメモリに、電力を供給する電源供給装置であって、
入力電圧を所定の電圧に変換し、安定化させて出力する電源安定化手段と、
電源の供給を受けて、上記電源安定化手段からの電圧における負荷変動とリップルノイズとの少なくともいずれかを抑制する抑制手段と、
上記表示装置が第１の状態において動作しているか、第１の状態とは異なる第２の状態において動作しているかを検知する検知手段と、
上記検知手段によって上記表示装置が第１の状態で動作していることが検知された場合、上記抑制手段を介さずに、上記電源安定化手段からの電圧を上記メモリに供給し、上記検知手段によって上記表示装置が第２の状態で動作していることが検知された場合には、上記抑制手段を介して、上記電源安定化手段からの電圧を上記メモリに供給する出力制御手段とを備えていることを特徴とする電源供給装置。
【請求項２】
上記電源安定化手段は、レギュレーターであることを特徴とする請求項１に記載の電源供給装置。
【請求項３】
上記抑制手段は、オぺアンプを含んで構成されることを特徴とする請求項１または２に記載の電源供給装置。
【請求項４】
上記検知手段は、
上記表示装置が省電力モードにおいて動作している状態を、上記第１の状態として検知し、非省電力モードにおいて動作している状態を、上記第２の状態として検知することを特徴とする請求項１から３までのいずれか１項に記載の電源供給装置。
【請求項５】
上記表示装置に電源を供給する表示装置電源供給手段をさらに備え、
上記検知手段は、
上記表示装置電源供給手段からの電流量が、予め定められた閾値より小さい場合、上記表示装置が省電力モードにおいて動作している状態を検知することを特徴とする請求項４に記載の電源供給装置。
【請求項６】
請求項１から５までのいずれか１項に記載の電源供給装置を備えていることを特徴とする表示装置。
【請求項７】
請求項１から５までのいずれか１項に記載の電源供給装置を備えていることを特徴とする携帯端末装置。
【請求項８】
請求項１から３までのいずれか１項に記載の電源供給装置を備えていることを特徴とするクラムシェル型の携帯端末装置。
【請求項９】
請求項１から３までのいずれか１項に記載の電源供給装置を備えていることを特徴とするスライド式の携帯端末装置。
【請求項１０】
上記検知手段は、
上記携帯端末装置のフリップの開閉を検知し、フリップが閉じている状態を、上記第１の状態として検知し、フリップが開いている状態を、上記第２の状態として検知することを特徴とする請求項８または９に記載の携帯端末装置。
【請求項１１】
表示装置に表示する画像を表す画像データを記憶するメモリに、電源を供給する電源供給方法であって、
入力電圧を所定の電圧に変換し、安定化させて出力する電源安定化工程と、
電源の供給を受けて、上記電源安定化工程からの電圧における負荷変動とリップルノイズとの少なくともいずれかを抑制する抑制工程と、
上記表示装置が第１の状態において動作しているか、第１の状態とは異なる第２の状態において動作しているかを検知する検知工程と、
上記検知工程によって上記表示装置が第１の状態で動作していることが検知された場合、上記抑制工程を介さずに、上記電源安定化工程からの電圧を上記メモリに出力し、上記検知工程によって上記表示装置が第２の状態で動作していることが検知された場合には、上記抑制工程を介して、上記電源安定化工程からの電圧を上記メモリに出力する出力制御工程とを含んでいることを特徴とする電源供給方法。
【請求項１２】
請求項１から５までのいずれか１項に記載の電源供給装置を動作させる制御プログラムであって、コンピュータを上記の各手段として機能させるための制御プログラム。
【請求項１３】
請求項１２に記載の制御プログラムを記録しているコンピュータ読み取り可能な記録媒体。
【発明の詳細な説明】
【技術分野】
【０００１】
本発明は、データを保持するメモリに電源を供給する電源供給装置、電源供給方法、表示装置、携帯端末装置、制御プログラム、および、コンピュータ読み取り可能な記録媒体に関するものである。
【背景技術】
【０００２】
携帯端末装置やパーソナルコンピュータ（ＰＣ）など、各種の情報処理装置において、省電力規格やユーザの要求に応えるべく、現在、より一層の消費電力低減を実現させることが必要とされている。
【０００３】
一般的に、低消費電力を実現するための技術としては、例えば、ユーザによる操作が一定期間行われなかった場合に、より消費電力の少ないスタンバイモードに移行させるような技術がある。
【０００４】
例えば、特許文献１には、ＰＣにおけるスクリーンセーバに関する画像保持の方式が開示されている。より詳細には、スタンバイモードへの移行が確実に行われるようにするために、負荷の高いスクリーンセーバから負荷の低いスクリーンセーバへ移行させた後、スタンバイモードへの移行を実行させる構成が開示されている。そして、スタンバイモードにおいては、設定情報がメモリ等に退避され、設定情報を保存するのに必要な箇所にのみ電源が供給されている。また、特許文献１には、従来技術として、表示装置において同期信号が検出されなくなった後、自動復帰を検出可能な手段への電源供給を間断的に実行することで、一層消費電力を削減する構成が記載されている。
【０００５】
また、特許文献２には、液晶ディスプレイを駆動する場合、表示データの取り込みや画像表示のための表示コントローラ、表示メモリ、液晶ドライバの動作周波数に比例して消費電力が大きくなるため、液晶ドライバの動作周波数を低減することによって、低消費電力化するための構成が開示されている。
【特許文献１】特開２００５−３０１８５１（２００５年１０月２７日）
【特許文献２】特開平７−１７５４４５（１９９５年７月１４日）
【発明の開示】
【発明が解決しようとする課題】
【０００６】
上述したとおり、上記従来の構成では、低消費電力を実現するため、スタンバイモードへ移行することにより、設定情報を退避させたメモリのみに電源を供給する。なお、引用文献１では、ＰＣにおけるスタンバイモードの構成について記載されているが、携帯電話などの携帯端末においても、同様に、メモリ内蔵のＬＣＤドライバを採用した場合に、画像保持、すなわち、ＲＡＭに記憶された画像データの内容を保持するために、ＲＡＭブロックに専用の電源を設けて、その電源からＲＡＭブロックに通常の消費電力モードで電源を供給することで、画像保持を行っている。例えば、クラムシェル型の携帯電話（フリップ型携帯電話）では、フリップ開閉前後の画像が同じ、すなわち、画像が保存されることが前提であるため、内蔵のメモリに画像データを保持するように、ＲＡＭに電源が供給される必要がある。
【０００７】
しかしながら、上記従来の構成では、スタンバイモードに移行することでＲＡＭ以外のブロックへの電源供給が停止することにより一定の消費電力低減の効果はあるものの、ＲＡＭへの電源の供給は、通常の消費電力モードで行われるため、必ずしも十分に消費電力を低減できていないという問題が生じる。このため、スタンバイモードへの切り替えがなされたとしても、依然として消費電流は大きなままであり、携帯端末のメーカーにおいては、ユーザからのさらなる低消費電力化の要望に応えるべく、スタンバイモードにおけるＲＡＭへの電源供給の仕組みを改善する必要がある。
【０００８】
本発明は、上記の問題点に鑑みてなされたものであり、その目的は、通常の消費電力モードからスタンバイモードに移行した後も画像データを保持するためのメモリに電源を供給する電源装置において、さらなる低消費電力化、特に、低消費電力のスタンバイモードにおける低消費電力化を実現することが可能な電源供給装置、電源供給方法、表示装置、携帯端末装置、制御プログラム、および、コンピュータ読み取り可能な記録媒体を提供することにある。
【課題を解決するための手段】
【０００９】
本発明に係る電源供給装置は、表示装置に表示する画像を表す画像データを記憶するメモリに、電源を供給する電源供給装置であって、入力電圧を所定の電圧に変換し、安定化させて出力する電源安定化手段と、上記電源安定化手段からの電圧における負荷変動とリップルノイズとの少なくともいずれかを抑制する抑制手段と、上記表示装置が第１の状態において動作しているか、第１の状態とは異なる第２の状態において動作しているかを検知する検知手段と、上記検知手段によって上記表示装置が第１の状態で動作していることが検知された場合、上記抑制手段を介さずに、上記電源安定化手段からの電圧を上記メモリに出力し、上記検知手段によって上記表示装置が第２の状態で動作していることが検知された場合には、上記抑制手段を介して、上記電源安定化手段からの電圧を上記メモリに出力する出力制御手段とを備えていることを特徴としている。
【００１０】
上記の構成によれば、電源供給装置は、表示装置に表示する画像を表す画像データを記憶するメモリに電源を供給する。表示装置は、メモリに記憶された画像データに基づいて画像を表示するものであって、特に限定はされない。
【００１１】
また、上記の構成によれば、電源安定化手段は、入力電圧を所定の電圧に変換し、安定化させて出力する。電源安定化手段は、例えば、一定電圧を安定的に供給するレギュレーターとして構成されてもよく、各種のレギュレーターが適用可能であり、特に限定はされない。
【００１２】
また、抑制手段は、電源の供給を受けて、電源安定化手段からの電圧における負荷変動とリップルノイズとの少なくともいずれかを抑制する。例えば、電源の供給を必要とするアンプを含んで構成されるが、要求される仕様に応じて他の回路素子と組み合わされたり、あるいは、他の専用のＩＣ等を用いる構成であってもよく、特に限定はされない。
【００１３】
また、検知手段は、表示装置が第１の状態において動作しているか、第１の状態とは異なる第２の状態において動作しているかを検知する。検知手段は、第１の状態および第２の状態として、例えば、表示装置の電力モードが、省電力モード（低消費電力モード）で非表示の状態であるか、あるいは、通常の電力モード（高速モード）で通常の表示状態であるかを検知する構成であってもよい。あるいは、表示装置が備えられた機器の特徴に応じて、負荷変動とリップルノイズの影響を考慮する必要のない状態（例えば、ユーザが表示装置を見ていない状態など）が判定できる場合には、その判定結果に応じて、第１の状態および第２の状態を識別してもよい。例えば、クラムシェル型の携帯端末装置において、フリップの開閉に応じて第１の状態および第２の状態を区別する構成であってもよい。
【００１４】
また、出力制御手段は、検知手段によって表示装置が第１の状態で動作していることが検知された場合、抑制手段を介さずに、電源安定化手段からの電圧をメモリに出力する。例えば、第１の状態として、表示装置が省電力モードで動作していることが検知された場合に、抑制手段を介することなく、電源安定化手段からの電圧をメモリに供給する。一方、検知手段によって表示装置が第２の状態で動作していることが検知された場合には、上記抑制手段を介して、上記電源安定化手段からの電圧を上記メモリに出力する。例えば、第２の状態として、表示装置が通常の電力モードで動作していることが検知された場合に、抑制手段を介することなく、電源安定化手段からの電圧をメモリに供給する。
【００１５】
ここで、抑制手段を介して電源を供給する場合には、負荷変動やリップルノイズの影響を抑制できるものの、抑制手段を駆動するための電源が必要となるため、消費電力が増加する。これに対し、抑制手段を介さずに電源を供給する場合には、負荷変動やリップルノイズの影響を抑制できないが、抑制手段を駆動するための電源が不要となり、消費電力を低減できる。
【００１６】
また、ユーザが負荷変動やリップルノイズの影響を受けない場合（例えば、ユーザが機器を利用していない場合）などにおいては、負荷変動やリップルノイズの影響を抑制する必要はない。
【００１７】
したがって、表示装置の動作状態が第１の状態であるか、第２の状態であるかを検知した結果に基づいて、すなわち、負荷変動とリップルノイズの影響を考慮する必要がある場合、あるいは、考慮する必要がない場合に応じて、抑制手段を介して電源を供給するか、抑制手段を介さずに電源を供給するかを選択することが可能となる。
【００１８】
これにより、負荷変動やリップルノイズの影響を考慮する必要がない場合に、抑制手段を介さずに電源を供給する構成とすることが可能となるため、メモリに画像データを保持し続けることが可能であると共に、ユーザの利便性を損なうことなく、電源供給装置における消費電力を低減することができる。
【００１９】
また、本発明に係る電源供給方法では、表示装置に表示する画像を表す画像データを記憶するメモリに、電源を供給する電源供給方法であって、入力電圧を所定の電圧に変換し、安定化させて出力する電源安定化工程と、上記電源安定化工程からの電圧における負荷変動とリップルノイズとの少なくともいずれかを抑制する抑制工程と、上記表示装置が第１の状態において動作しているか、第１の状態とは異なる第２の状態において動作しているかを検知する検知工程と、上記検知工程によって上記表示装置が第１の状態で動作していることが検知された場合、上記抑制工程を介さずに、上記電源安定化工程からの電圧を上記メモリに出力し、上記検知工程によって上記表示装置が第２の状態で動作していることが検知された場合には、上記抑制工程を介して、上記電源安定化工程からの電圧を上記メモリに出力する出力制御工程とを含んでいることを特徴としている。
【００２０】
上記の構成によれば、本発明に係る電源供給装置と同様の作用効果を奏する。
【００２１】
また、本発明に係る電源供給装置では、上記電源安定化手段は、レギュレーターであることが好ましい。
【００２２】
また、本発明に係る電源供給装置では、上記抑制手段は、オぺアンプを含んで構成されることが好ましい。
【００２３】
また、本発明に係る電源供給装置では、上記検知手段は、上記表示装置が省電力モードにおいて動作している状態を、上記第１の状態として検知し、非省電力モードにおいて動作している状態を、上記第２の状態として検知することが好ましい。
【００２４】
上記の構成によれば、電源供給装置では、検知手段は、表示装置が省電力モードにおいて動作している状態を、第１の状態として検知する。そして、検知手段は、表示装置が省電力モードとは異なる通常の電力モードにおいて動作している状態を第２の状態として検知する。
【００２５】
これにより、本発明に係る電源供給装置では、表示装置が省電力モードにおいて動作している場合、抑制手段を介さずに電源を供給するため、電源供給装置における消費電力を低減することができる。
【００２６】
また、本発明に係る電源供給装置では、上記表示装置に電源を供給する表示装置電源供給手段をさらに備え、上記検知手段は、上記表示装置電源供給手段からの電流量が、予め定められた閾値より小さい場合、上記表示装置が省電力モードにおいて動作している状態を検知することが好ましい。
【００２７】
上記の構成によれば、電源供給装置は、表示装置に電源を供給する表示装置電源供給手段をさらに備えている。表示装置では、表示状態、すなわち、通常表示の状態か、あるいは、非表示の状態かに応じて、消費電力が変化する。そのため、電源供給装置では、表示装置に対して一定電圧が供給されているため、表示装置のおける消費電力に応じて電流量が変化することになる。
【００２８】
そして、検知手段は、表示装置電源供給手段における電流量が、予め定められた閾値より小さい場合、表示装置が省電力モードにおいて動作している状態を検知する。つまり、省電力モードの場合、表示装置における消費電力が抑えられるため、電源供給装置の電流量も小さくなる。
【００２９】
これにより、電源供給装置では、表示装置の表示状態を正確に検出することが可能となるため、電源供給装置における電力モードの切替を適切に行うことができる。
【００３０】
また、上記電源供給装置を備えた表示装置も、本発明の範疇に入る。
【００３１】
また、上記電源供給装置を備えた携帯端末装置も、本発明の範疇に入る。
【００３２】
また、本発明に係る携帯端末装置は、クラムシェル型であることが好ましい。
【００３３】
また、本発明に係る携帯端末装置は、スライド式であることが好ましい。
【００３４】
本発明に係る携帯端末装置では、上記検知手段は、上記携帯端末装置のフリップの開閉を検知し、フリップが閉じている状態を、上記第１の状態として検知し、フリップが開いている状態を、上記第２の状態として検知することが好ましい。
【００３５】
上記の構成によれば、検知手段は、携帯端末装置のフリップの開閉を検知し、フリップが閉じている状態を、第１の状態として検知する。したがって、検知手段は、携帯端末装置のフリップが開いている状態を、第２の状態として検知する。フリップの開閉は、例えば、フリップに設けられているメカニカルスイッチやマグネットスイッチなどの切替に応じて出力される信号を検出することによって、検知可能である。
【００３６】
これにより、本発明に係る電源供給装置では、クラムシェル型やスライド式の携帯端末装置のように、フリップの開閉を伴う携帯端末装置において、フリップが閉じている場合には、抑制手段を介さずに電源を供給するため、電源供給装置における消費電力を低減することができる。
【００３７】
なお、電源供給装置は、コンピュータによって実現してもよい。この場合、コンピュータを上記各手段として動作させることにより上記電源供給装置をコンピュータにおいて実現する制御プログラム、およびその制御プログラムを記録したコンピュータ読み取り可能な記録媒体も、本発明の範疇に入る。
【発明の効果】
【００３８】
本発明に係る電源供給装置は、表示装置に表示する画像を表す画像データを記憶するメモリに、電源を供給する電源供給装置であって、入力電圧を所定の電圧に変換し、安定化させて出力する電源安定化手段と、上記電源安定化手段からの電圧における負荷変動とリップルノイズとの少なくともいずれかを抑制する抑制手段と、上記表示装置が第１の状態において動作しているか、第１の状態とは異なる第２の状態において動作しているかを検知する検知手段と、上記検知手段によって上記表示装置が第１の状態で動作していることが検知された場合、上記抑制手段を介さずに、上記電源安定化手段からの電圧を上記メモリに出力し、上記検知手段によって上記表示装置が第２の状態で動作していることが検知された場合には、上記抑制手段を介して、上記電源安定化手段からの電圧を上記メモリに出力する出力制御手段とを備えていることを特徴としている。
【００３９】
また、本発明に係る電源供給方法では、表示装置に表示する画像を表す画像データを記憶するメモリに、電源を供給する電源供給方法であって、入力電圧を所定の電圧に変換し、安定化させて出力する電源安定化工程と、上記電源安定化工程からの電圧における負荷変動とリップルノイズとの少なくともいずれかを抑制する抑制工程と、上記表示装置が第１の状態において動作しているか、第１の状態とは異なる第２の状態において動作しているかを検知する検知工程と、上記検知工程によって上記表示装置が第１の状態で動作していることが検知された場合、上記抑制工程を介さずに、上記電源安定化工程からの電圧を上記メモリに出力し、上記検知工程によって上記表示装置が第２の状態で動作していることが検知された場合には、上記抑制工程を介して、上記電源安定化工程からの電圧を上記メモリに出力する出力制御工程とを含んでいることを特徴としている。
【００４０】
したがって、表示装置の動作状態が第１の状態であるか、第２の状態であるかを検知した結果に基づいて、すなわち、負荷変動とリップルノイズの影響を考慮する必要がある場合、あるいは、考慮する必要がない場合に応じて、抑制手段を介して電源を供給するか、抑制手段を介さずに電源を供給するかを選択することが可能となる。
【００４１】
これにより、負荷変動やリップルノイズの影響を考慮する必要がない場合に、抑制手段を介さずに電源を供給する構成とすることが可能となるため、メモリに画像データを保持し続けることが可能であると共に、ユーザの利便性を損なうことなく、電源供給装置における消費電力を低減することができる。
【発明を実施するための最良の形態】
【００４２】
〔実施の形態１〕
本発明に係る第１の実施形態について、図１〜図５に基づいて以下に説明する。
【００４３】
（携帯端末装置１０）
図２は、本発明に係る携帯端末装置１０の構成を示す図である。携帯端末装置１０は、ＬＣＤ（Liquid Crystal Display）１６とＬＣＤドライバ１７とパネルとＦＰＣとの接続部（ＦＯＧ部）１８とを含んで構成される。ＬＣＤドライバ１７は、電源部１３とロジック部１４とＲＡＭ１５とを備えている。電源部１３は、ロジックレギュレーター１１とＬＣＤアナログレギュレーター１２とＲＡＭ電源供給部１とを備えている。
【００４４】
携帯端末装置１０は、通常の表示を行う動作モード（以下では、通常モード、あるいは、高速モードと呼ぶ）と省電力の動作モードであるスタンバイモードとの２つのモードを有する。ロジック部１４は、インターフェース等のロジックを制御する。ＲＡＭ１５（メモリ）は、ＬＣＤ１６（表示装置）に表示する画像を保持するＲＡＭである。
【００４５】
通常、携帯端末装置においては、通常モードからスタンバイモードに移行した場合、ＬＣＤ１６には画像が表示されなくなるものの、スタンバイモードから通常モードに復帰した場合、ＬＣＤ１６に再度スタンバイモードへの移行前に表示されていた画像を表示することが要求される。つまり、スタンバイモードから通常モードに復帰したときに、画像データをＲＡＭ１５から読み出して、スタンバイモードへの移行直前の画像をＬＣＤ１６に表示することになる。このため、ＲＡＭ１５は、スタンバイモードにおいても、画像データを記憶しておく必要がある。したがって、ＲＡＭ１５には、通常モードおよびスタンバイモードのいずれの場合においても電源が供給される続ける必要がある。
【００４６】
また、携帯端末装置１０では、ロジック部１４、ＲＡＭ１５、および、ＬＣＤ１６の各部に対して、それぞれ、動作を行うための電源が容易されている。ロジックレギュレーター１１はロジック部１４に電源を供給し、ＬＣＤアナログレギュレーター１２はＬＣＤ１６に電源を供給し、ＲＡＭ供給電源１はＲＡＭ１５に電源を供給する。ＬＣＤドライバ１７には、接続部１８を介して電源が供給される。そして、ＬＣＤドライバ１７に供給された電源は、ロジックレギュレーター１１、ＬＣＤアナログレギュレーター１２、および、ＲＡＭ供給電源１に分配される。
【００４７】
（ＲＡＭ電源供給部１）
そして、本発明に係る携帯端末装置１０は、ＲＡＭ電源供給部１（電源供給装置）の構成に特徴を有している。図１を参照して、以下に、ＲＡＭ供給電源１について説明する。図１は、本発明に係るＲＡＭ電源供給部１の構成を示すブロック図である。
【００４８】
本発明に係るＲＡＭ電源供給部１は、レベルシフト部２とスイッチング部３と切替部４５，６とアンプ部７（抑制手段）とを備えている。本実施の形態では、アンプ部７は、オペアンプ８ａおよび８ｂの２つを含んで構成されているが、２つ以上のアンプを備えた構成であってもよく、特に限定はされない。また、切替部４，５，６とアンプ部７とが、出力制御部９（出力制御手段）を形成している。
【００４９】
ＲＡＭ電源供給部１は、ロードロップアウトのレギュレーター機能を有しており、安定したＲＡＭへの電源の供給を制御する。ＲＡＭ供給電源１では、電源電圧が入力されると、レベルシフト部２が電源電圧をシフトする。レベルシフト部２には、基準電圧Ｒｅｆが入力されており、レベルシフト部２は、入力された電圧を基準電圧Ｒｅｆにレベルシフトして出力する。
【００５０】
また、ＲＡＭ供給電源１には、出力に応じたＯＮ／ＯＦＦ信号が入力される。そして、スイッチング部３は、入力されるＯＮ／ＯＦＦ信号に応じたスイッチング動作を行う。これにより、ＲＡＭへの出力電圧が一定に保たれ、ＲＡＭ供給電源１は、レギュレーターとして機能することになる。
【００５１】
スイッチング部３は、高速（例えば数十ＫＨｚ以上）でスイッチング動作を行うため、スイッチング部３からの出力電圧にはリップルノイズが含まれる。リップルノイズとは、コンデンサなどでは完全に平滑化することができない定格出力電圧に対する電圧変動の成分であるリップルと、高速スイッチングに起因して発生する電圧変動の成分であるノイズとを合成した電圧変動である。
【００５２】
なお、特許請求の範囲における電源安定化手段は、レベルシフト部２、スイッチング部３、および、出力に応じたＯＮ／ＯＦＦ信号を生成する制御手段（図示せず）を含んで構成される。
【００５３】
また、ＲＡＭ電源供給部１には、ＬＣＤアナログレギュレーター１２（表示装置電源供給手段）から、切替制御信号が入力される。切替部４は、切替制御信号に応じて、端子５または端子６に接続される。携帯端末装置１０が通常モード（高速モード）の場合には、切替部４は端子５に接続される。また、携帯端末装置１０がスタンバイモードの場合には、切替部４は端子６に接続される。ＬＣＤアナログレギュレーター１２からの切替制御信号の詳細については、後述する。
【００５４】
アンプ部７は、オペアンプ８ａ，８ｂを含んで構成され、スイッチング部３からの電圧を安定的にＲＡＭに供給する。例えば、アンプ部７は、出力側での負荷の大きい場合における負荷変動を防止し、リップルノイズを除去する。しかしながら、アンプ部７は、オペアンプを含んでおり、オペアンプの動作のために電源の供給が必要となる。したがって、アンプ部７を介してＲＡＭに電源を供給する場合、オペアンプ８ａ，８ｂによる電力消費が発生する。一方、アンプ部７を介さずにスイッチング部３からの電圧をＲＡＭに供給する場合、負荷変動の影響を受け易く、リップルノイズも含まれたままであるが、オペアンプ８ａ，８ｂによる電力消費は発生しない。
【００５５】
（出力制御部９）
通常の携帯端末装置においては、通常モードであるか、スタンバイモードであるかに関わらず、画像データを保持するＲＡＭへの電源の供給は、オペアンプを含んで構成されるアンプ部を介して行われる。そのため、アンプ部における電力消費は、通常モードとスタンバイモードとのいずれの場合にも発生する。
【００５６】
ユーザが携帯端末装置のディスプレイに表示される画像を見ている場合には、上述の負荷変動やリップルノイズによって、表示状態に影響を与える可能性があるため、アンプ部を介して、画像データを保持するＲＡＭへ電源を供給する必要がある。
【００５７】
一方、スタンバイモードに移行した場合、携帯端末装置のディスプレイには、画像が表示されなくなる。そのため、ユーザは携帯端末装置のディスプレイに表示される画像を見ていないため、リップルノイズや負荷変動がディスプレイの画像表示に与える影響を考慮する必要がない。
【００５８】
そこで、本発明に係る携帯端末装置１０では、上述のとおり、通常モードの場合、切替部４を端子５に接続し、アンプ部７を介してＲＡＭ１５に電源を供給する。一方、スタンバイモードの場合には、切替部４を端子６に接続して、アンプ部７を介さずにＲＡＭ１５に電源を供給する。したがって、通常モードの場合には、アンプ部７における電力消費が発生するが、スタンバイモードの場合には、アンプ部７における電力消費が発生しない。
【００５９】
これにより、通常モードの場合には、ＬＣＤ１６に表示される画像に対するリップルノイズや負荷変動の影響を抑制することができるものの、電力消費が増大する。これに対して、スタンバイモードの場合には、ＲＡＭ１５に画像データを保持させ続けるとともに、電力消費を低減することができる。しかも、ＬＣＤ１６には画像は表示されていないため、リップルノイズや負荷変動の影響を考慮する必要はなく、ユーザの利便性を損なうこともない。
【００６０】
次に、図３を参照して、切替部４の端子接続の切替動作について、より詳細に説明する。図３は、携帯端末装置１０の状態、ＲＡＭ電源供給部１の状態、および、ＬＣＤ１８の表示状態の関係の一例を示す図である。
【００６１】
なお、図２には、開閉自在なクラムシェル型の携帯端末装置が示されているが、携帯端末装置１０はスライド式の携帯端末装置であってもよく、以下の説明において、フリップの開閉は、クラムシェル型の携帯端末装置における開閉と、スライド式の携帯端末装置における開閉との両方を意味する。
【００６２】
また、図３では、切替部４と端子５とが接続してアンプ部７を介してＲＡＭ１５に電源を供給している状態については、「電源１」（高速モード）と表し、切替部４と端子６とが接続してアンプ部７を介さずにＲＡＭ１５に電源を供給している状態については、「電源２」（低消費モード）と表す。
【００６３】
時刻Ｔ１において、携帯端末装置１０のフリップは開いた状態であり、動作モードは、通常モードである。また、ＬＣＤ１６は、通常の表示を行う高速モードの状態にある。このとき、ＲＡＭ電源供給部１は、「電源１」の状態、すなわち、アンプ部７を介して電源を供給している。
【００６４】
時刻Ｔ２において、携帯端末装置１０のフリップは、開いた状態から閉じた状態へ移り変わる途中である。また、動作モードも、通常モードからスタンバイモードへ移行中である。このとき、ＬＣＤ１６は、通常の表示の状態から非表示の状態へ移行する。そして、ＲＡＭ電源供給部１は、切替制御信号に基づいて、切替部４を端子５との接続から端子６との接続に切り替えて、「電源１」の状態から「電源２」の状態へ移行する。切替制御信号についての詳細は後述するが、本実施の形態では、ＬＣＤ１６の表示状態が、通常の表示の状態から非表示の状態へ移行したときに、ＲＡＭ電源供給部１の出力制御部９に対して、切替部４の端子接続の切替を指示する信号が供給される。
【００６５】
時刻Ｔ３において、携帯端末装置１０のフリップは閉じた状態であり、動作モードは、スタンバイモードとなる。また、ＬＣＤ１６は、表示を行わない低消費モードの状態にある。このとき、ＲＡＭ電源供給部１は、「電源２」の状態、すなわち、アンプ部７を介さずにＲＡＭ１５に電源を供給する。これにより、ＲＡＭ１５に画像を保持させ続けることができるとともに、アンプにおける電力消費が発生しないため、消費電力を低減することができる。
【００６６】
時刻Ｔ４において、携帯端末装置１０のフリップは、閉じた状態から開いた状態へ移り変わる途中である。また、動作モードも、スタンバイモードから通常モードへ移行中である。このとき、ＬＣＤ１６は、非表示の状態から通常の表示の状態に移行する。そして、ＲＡＭ電源供給部１は、切替部４を端子６との接続から端子５との接続に切り替えて、「電源２」の状態から「電源１」の状態へ移行する。時刻Ｔ２と同様、本実施の形態では、ＬＣＤ１６の表示状態が、非表示の状態から通常の状態へ移行したときに、ＲＡＭ電源供給部１の出力制御部９に対して、切替部４の端子接続の切替を指示する信号が供給される。
【００６７】
時刻Ｔ５において、携帯端末装置１０のフリップは開いた状態であり、動作モードは、通常モードである。また、ＬＣＤ１６は、通常の表示を行う高速モードの状態にある。このとき、ＲＡＭ電源供給部１は、「電源１」の状態、すなわち、アンプ部７を介して電源を供給している。そして、ＬＣＤ１６は、ＲＡＭ１５に保持し続けている時刻Ｔ１における表示画像のデータを、再度表示する。
【００６８】
（ＬＣＤアナログレギュレーター１２）
上述したとおり、切替制御信号は、切替部４の端子接続の切替を指示する信号であり、ＬＣＤ１６の表示状態が移行したときに、ＲＡＭ電源供給部１の出力制御部９に対して供給される。ここで、切替制御信号について、図４を参照して、より詳細に説明する。
【００６９】
図４は、ＬＣＤアナログレギュレーター１２の構成を示すブロック図である。ＬＣＤアナログレギュレーター１２は、ＬＣＤアナログレギュレーター用電源２０と、電流量検知部２１（検知手段）と、コンパレーター２４とを含んで構成される。電流量検知部２１は、抵抗２２とＡ／Ｄコンバーター２３とを備えている。電流検知部２１は、ＬＣＤアナログレギュレーター１２内の電流量を検知する。
【００７０】
より詳細には、ＬＣＤアナログレギュレーター１２では、ＬＣＤ１６の表示状態に応じてＬＣＤ１６において消費される電力が変動し、それに伴い抵抗２２に流れる電流量は変化する。そして、Ａ／Ｄコンバーター２３は、電流量を表す信号をコンパレーター２４に供給する。コンパレーター２４は、電流量検知部２１において検出された電流量を、予め定められた基準電圧（閾値）と比較し、比較結果に応じた切替制御信号を出力する。
【００７１】
より具体的には、コンパレーター２４は、電流量検知部２１において検出された電流量が上記基準電圧よりも小さい場合、切替部４を端子６と接続することを指示する切替制御信号を出力する。このとき、ＬＣＤ１６は非表示状態であり、消費電力が小さいため、電流量も小さくなる。
【００７２】
また、コンパレーター２４は、電流量検知部２１において検出された電流量が上記基準電圧よりも大きい場合、切替部４を端子５と接続することを指示する切替制御信号を出力する。このとき、ＬＣＤ１６は通常の表示状態であり、消費電力が大きいため、電流量も大きくなる。
【００７３】
これにより、携帯端末装置１０では、ＬＣＤ１６の表示状態に応じて、出力制御部９における切替部４と端子５，６との接続を切り替え、ＲＡＭ電源供給部１の電源供給モードを切り替えることが可能となる。したがって、必ずしも負荷変動やリップルノイズの影響を考慮する必要のない場合に、ＲＡＭ電源供給部１では、アンプ部７を介さずにＲＡＭ１５に対して電源を供給するため、アンプ部７における電力消費を発生させることがなく、消費電力を低減できる。
【００７４】
この構成によれば、携帯端末装置１０が折りたたみ可能であるか否かに関わらず、ＬＣＤ１６が非表示状態のスタンバイモードに移行したときには、ＲＡＭ電源供給部１における電源供給モードを低消費モードに切り替えることが可能となる。なお、この構成では、表示装置は、携帯端末装置に限定されることはなく、通常のＰＣをはじめ、通常モードやスタンバイモードなどモード切替可能な機器であって、画像を表示する機器全般に適用することも可能である。
【００７５】
（フリップの開閉による切替制御）
上述したとおり、携帯端末装置１０では、ＬＣＤアナログレギュレーター１２において検出された電流量に応じて、ＲＡＭ電源供給部１における電源供給モードの切替制御を行うことが可能となる。
【００７６】
しかしながら、携帯端末装置１０が、例えば、図２に示すようなクラムシェル型の携帯端末装置の場合には、さらに、別の構成によって、ＲＡＭ電源供給部１における電源供給モードの切替制御を行うことが可能となる。以下に、図５を参照して、ＲＡＭ電源供給部１における電源供給モードの切替制御を行うための他の構成について説明する。
【００７７】
なお、図２には、開閉自在なクラムシェル型の携帯端末装置が示されているが、携帯端末装置１０はスライド式の携帯端末装置であってもよく、以下の説明において、フリップの開閉は、クラムシェル型の携帯端末装置における開閉と、スライド式の携帯端末装置における開閉との両方を意味する。
【００７８】
図５は、携帯端末装置１０の状態、ＲＡＭ電源供給部１の状態、および、ＬＣＤ１８の表示状態の関係の他の例を示す図である。
【００７９】
時刻Ｔ１において、携帯端末装置１０のフリップは開いた状態であり、動作モードは、通常モードである。また、ＬＣＤ１６は、通常の表示を行う高速モードの状態にある。このとき、ＲＡＭ電源供給部１は、「電源１」の状態、すなわち、アンプ部７を介して電源を供給している。
【００８０】
時刻Ｔ２において、携帯端末装置１０のフリップは、閉じた状態となり、動作モードはスタンバイモードとなる。また、ＬＣＤ１６は、表示を行わない低消費モードの状態となる。そして、ＲＡＭ電源供給部１は、「電源２」の状態、すなわち、アンプ部７を介さずにＲＡＭ１５に電源を供給する状態へと移行している。このとき、携帯端末装置１０では、ＬＣＤアナログレギュレーター１２における電流量を検出することなく、携帯端末装置１０のフリップが閉じたことを検出して、ＲＡＭ電源供給部１の状態を、「電源１」の高速モードから「電源２」の低消費モードに切り替えることができる。
【００８１】
すなわち、携帯端末装置１０のフリップには、メカニカルスイッチ、あるいは、マグネットスイッチが設けられており、フリップの開閉によって発生するメカニカルスイッチ、あるいは、マグネットスイッチの切替に応じてＨｉｇｈ／Ｌｏｗの電圧が出力され、その電圧によって、ＲＡＭ電源供給部１の状態を、「電源１」の高速モードから「電源２」の低消費モードに切り替えることができる。これにより、アンプにおける電力消費が発生しないため、消費電力を低減することができる。
【００８２】
時刻Ｔ３において、携帯端末装置１０のフリップは、開いた状態となり、動作モードは、再び、通常モードとなる。またＬＣＤ１６は、通常の表示を行う高速モードの状態となる。そして、上述した携帯端末装置１０のフリップに設けられたメカニカルスイッチ、あるいは、マグネットスイッチの切替に応じて出力される電圧に基づいて、ＲＡＭ電源供給部１の状態は、「電源２」の低消費モードから「電源１」の高速モードへと移行する。
【００８３】
（付記事項）
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００８４】
（プログラムおよび記録媒体）
最後に、携帯端末装置１０の各ブロックは、特に電源部１３は、ハードウェアロジックによって構成してもよいし、次のようにＣＰＵを用いてソフトウェアによって実現してもよい。
【００８５】
すなわち、携帯端末装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである携帯端末装置１０の制御プログラムのプログラムコード（実行形式プログラム、中間コードプログラム、ソースプログラム）をコンピュータで読み取り可能に記録した記録媒体を、携帯端末装置１０に供給し、そのコンピュータ（またはＣＰＵやＭＰＵ）が記録媒体に記録されているプログラムコードを読み出し実行することによっても、達成可能である。
【００８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
また、携帯端末装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００８８】
本発明に係る電源供給装置は、通常モードとスタンバイモードとの切替可能な機器であって、ディスプレイ表示する画像データを記憶するメモリを備えた各種の機器に適用可能であり、特に、携帯端末装置などに低消費電力化が要求される機器において好適である。
【図面の簡単な説明】
【００８９】
【図１】本発明に係るＲＡＭ電源供給部の構成を示すブロック図である。
【図２】本発明に係る携帯端末装置の構成を示す図である。
【図３】本発明に係る携帯端末装置の状態、ＲＡＭ電源供給部の状態、および、ＬＣＤの表示状態の関係の一例を示す図である。
【図４】本発明に係る携帯端末装置のＬＣＤアナログレギュレーターの構成を示すブロック図である。
【図５】本発明に係る携帯端末装置の状態、ＲＡＭ電源供給部の状態、および、ＬＣＤの表示状態の関係の一例を示す図である。
【符号の説明】
【００９０】
１              ＲＡＭ電源供給部（電源供給装置）
２              レベルシフト部（電源安定化手段）
３              スイッチング部（電源安定化手段）
４              切替部
５              端子
６              端子
７              アンプ部（抑制手段）
８ａ，ｂ        オペアンプ
９              出力制御部（出力制御手段）
１０            携帯端末装置
１２            ＬＣＤアナログレギュレーター（表示装置電源供給手段）
１３            電源部
１４            ロジック部
１５            ＲＡＭ（メモリ）
１６            ＬＣＤ（表示装置）
１７            ＬＣＤドライバ
１８            接続部
２０            ＬＣＤアナログレギュレーター用電源
２１            電流検知部（検知手段）
２２            抵抗
２３            Ａ／Ｄコンバーター
２４            コンパレーター
【図１】
2010113512.tif 000003
【図２】
2010113512.tif 000004
【図３】
2010113512.tif 000005
【図４】
2010113512.tif 000006
【図５】
2010113512.tif 000007